(57)【特許請求の範囲】
【請求項１】
ケース本体１０と蓋体１１とでディスクカートリッジ１用の収納室が区画してあり、
ケース前面およびケース上面に、ディスクカートリッジ１を出し入れするための第１開口１２と第２開口１７とが、それぞれ設けてあるブックケース型の収納ケースであって、
蓋体１１は、ケース本体１０の側壁１５と蓋体１１の蓋側壁１９との対向面間に設けたスライド機構で、前後スライド自在に案内支持されて第２開口１７をスライド開閉でき、
スライド機構は、ケース本体１０の側壁１５の内面に突設のリブ２３で区画したガイド溝２２と、蓋体１１の蓋側壁１９に突設されてガイド溝２２内を前後スライドする軸２１とからなり、
リブ２３の突端上面と、軸２１との少なくともいずれか一方に、軸２１をガイド溝２２内へ係合案内するガイド面３７・３８が設けられており、
ガイド面３７・３８は、ケース本体１０の側壁１５側を傾斜上端とする傾斜面に形成されているディスクカートリッジ用の収納ケース。
【請求項２】
軸２１とリブ２３のそれぞれに、ガイド面３７・３８が形成してある請求項１記載のディスクカートリッジ用の収納ケース。
【請求項３】
ガイド溝２２の深さ寸法Ｄが、ケース本体１０の側壁１５の内面からのリブ２３の突出寸法Ｅより大きく設定されており、
軸２１とガイド溝２２との係合寸法Ｒが、リブ２３の突出寸法Ｅと同じかこれより大きく設定してある請求項１又は２記載のディスクカートリッジ用の収納ケース。
【請求項４】
蓋体１１の上面の前部に、蓋体１１をケース後方へ向かってスライド操作するための指掛部４０が凹み形成されており、
蓋体１１を閉じた状態において、隣接するケース本体１０と蓋体１１の後部開口縁に、内外に重合して塵埃の侵入を阻止する閉止面４１・４２が形成してある請求項１又は２又は３記載のディスクカートリッジ用の収納ケース。
【発明の詳細な説明】
【０００１】
【発明の属する技術分野】
薄い角箱状のカートリッジケース内に、光ディスクや光磁気ディスク等のディスク状の信号記録媒体を内蔵したディスクカートリッジがある。本発明は、この種のディスクカートリッジを収納保存するためのブックケース型の収納ケースに関する。
【０００２】
【従来の技術】
かかるディスクカートリッジのひとつにミニディスク（以下単にＭＤという）がある。ＭＤ用の収納ケースは薄い角箱状に形成してあり、ケース前側面に出入口を設けてブックケース状に構成してある。ケースの左右側壁の内奥寄りには一対のロック体が組み込んであり、ＭＤを収納ケースに差し込んで、両ロック体をカートリッジケースの下面両側の位置決め凹部に落とし込み係合することにより、ＭＤが収納ケースから滑落するのを防止できる。
【０００３】
上記の収納ケースは、ケース内に収めたＭＤをロック体で係合保持して、ＭＤが自重で滑り出すのを防いでいる。そのため、ＭＤを取り出す際には、収納ケースとＭＤとを左右の手でつかんで、両者を引き離すように抜き出し操作しなければならず、例えば自動車の車内でのＭＤの取り出し操作が煩わしい。ＭＤを収納ケースに収める場合には、ＭＤの周側面を出入口と正しく正対した状態でケース内へ差し込む必要があるが、出入口の開口幅が５mm前後と狭いので、とくに薄暗い場所等ではＭＤを挿嵌し辛い。
【０００４】
【発明が解決しようとする課題】
本発明者は、ＭＤの出し入れを容易化するために、収納ケースをケース本体と蓋体とで構成し、蓋体をケース本体の上面開口に沿ってスライド操作することにより、ケース本体の上側を第２の出入口として開口できる収納ケースを先に提案している（特願平８−３０５６４５号）。そこでは、ケース本体の左右側壁の内面にガイド溝を形成し、ガイド溝でスライド案内される軸を蓋体の側に設けて、蓋体をスライド開閉自在に案内支持している。より詳しくは、両側壁の内面にリブを突設してガイド溝を区画している。また、蓋体の内面左右両側にケース本体の両側壁と平行な蓋側壁を突設し、蓋側壁の下端後方に先の軸を突設している。なお、ＭＤをロック保持するロック体も、蓋側壁に装着してあるので、蓋体をスライド開閉すると、ロック体とＭＤとの係合状態を同時に解除できる。
【０００５】
上記の蓋体開閉構造では、ケース本体の側壁と蓋体の蓋側壁の対向面間に、ガイド溝を区画するリブと軸とが対向状に突出するので、蓋体をケース本体に組み付ける際に、側壁と蓋側壁の少なくとも一方を弾性変形させて、軸をこれがリブを乗り越えるようにして、ガイド溝内へ落とし込んで連結する必要がある。つまり、蓋体のケース本体に対する組み付けが煩わしく、組み付け作業に余分な手間を要するところに問題があった。
【０００６】
ガイド溝と軸の係合寸法を小さくすると、蓋体の組み付けを容易化できる。しかし係合寸法が小さいと、落下衝撃を受けたような場合に、軸がガイド溝の外へ簡単に抜け外れてしまう。かと言って、先の係合寸法が大きいと、蓋体の組み付けは更に困難になる。
【０００７】
そこで本発明の目的は、蓋体がケース本体でスライド開放可能に支持してあるディスクカートリッジ用の収納ケースにおいて、蓋体がケース本体に対して容易に組み付けられるようにすることにある。
本発明の目的は、ガイド溝と軸との係合寸法が大きい場合にも、ケース本体に蓋体を容易に組み付けることができ、従って落下衝撃を受けた場合にも、蓋体がケース本体から分離するのを確実に防止するにある。
本発明の目的は、蓋体のスライド開放操作が確実にしかも容易に行え、更に収納保存時等に塵埃がケース内へ入り込むのもよく防止できるディスクカートリッジ用の収納ケースを得ることにある。
【０００８】
【課題を解決するための手段】
本発明の収納ケースは、ケース本体１０と蓋体１１とでディスクカートリッジ１用の収納室が区画してあり、ケース前面およびケース上面に、ディスクカートリッジ１を出し入れするための第１開口１２と第２開口１７とがそれぞれ設けてあるブックケース型の収納ケースを対象とする。蓋体１１は、ケース本体１０の側壁１５と蓋体１１の蓋側壁１９との対向面間に設けたスライド機構で、前後スライド自在に案内支持されて第２開口１７をスライド開閉できる。スライド機構は、ケース本体１０の側壁１５の内面に突設のリブ２３で区画したガイド溝２２と、蓋体１１の蓋側壁１９に突設されてガイド溝２２内を前後スライドする軸２１とからなる。リブ２３の突端上面と、軸２１との少なくともいずれか一方に、軸２１をガイド溝２２内へ係合案内するガイド面３７・３８を設ける。ガイド面３７・３８はケース本体１０の側壁１５側を傾斜上端とする傾斜面に形成する。
【０００９】
具体的には、軸２１とリブ２３とのそれぞれに、ガイド面３７・３８を形成する。ガイド溝２２の深さ寸法Ｄは、リブ２３の側壁１５の内面からの突出寸法Ｅより大きく設定する。軸２１とガイド溝２２との係合寸法Ｒは、リブ２３の突出寸法Ｅと同じかこれより大きく設定する。また、図３および図７に示すごとく蓋体１１の上面の前部に、蓋体１１をケース後方へ向かってスライド操作するための指掛部４０を凹み形成する。蓋体１１を閉じた状態において、隣接するケース本体１０と蓋体１１の後部開口縁には、図８および図９に示すごとく内外に重合して塵埃の侵入を阻止する閉止面４１・４２を形成する。
【００１０】
【作用】
蓋体１１をケース本体１０に組み付ける場合には、軸２１をリブ２３の突端上面に当てがい、軸２１とリブ２３の接当面間に設けたガイド面３７・３８を下向きに押し込み操作する。このとき、ガイド面３７・３８はケース本体１０の側壁１５側を傾斜上端とする傾斜面に形成してあるので、横向きの分力を生じる。その結果、側壁１５と蓋側壁１９とは、互いに離れる向きに弾性変形して、軸２１がリブ２３の突端を乗り越えてガイド溝２２へ落ち込み係合するのを助ける。つまり、蓋体１１をケース本体１０に対して位置決めした後、押し下げ操作するだけの簡単な動作で、軸２１をガイド溝２２に組むことができる。
【００１１】
軸２１とリブ２３にそれぞれにガイド面３７・３８を設けてあると、軸２１の乗り越えに要する距離を減少できるうえ、両ガイド面３７・３８のそれぞれに横向きの分力がほぼ均等に生じ、軸２１の乗り越えが容易になる。ガイド溝２２の深さ寸法Ｄを大きく設定して、ガイド溝２２と軸２１の係合寸法Ｒをリブ２３の突出寸法Ｅと同じかこれより大きく設定したスライド機構によれば、軸２１がガイド溝２２から脱落するのをよく防止でき、例えば落下衝撃を受けたような場合にも、蓋体１１がケース本体１０から分離するのを確実に阻止できる。
【００１２】
蓋体１１に凹み形成した指掛部４０は、指先が滑るのを防止して蓋体１１のスライド開放操作を確実に行うのに役立つ。ケース本体１０と蓋体１１の後部開口縁に設けた閉止面４１・４２は、例えば斜面どうしが内外に重合するよう形成してあって、蓋体１１を閉じた状態において閉止面４１・４２どうしが接合し、しかも侵入経路を長くできるので、塵埃の侵入をよく防止する。
【００１３】
【実施例】
図１ないし図９は本発明の実施例を示しており、これはＭＤ（ディスクカートリッジ）用の収納ケースに供するものである。図３においてＭＤ１は、光磁気ディスク２が薄角箱状のカートリッジケース３に収まっており、カートリッジケース３の上下両面の一側に開口した信号読み取り窓４をシャッター５でスライド開閉できる。カートリッジケース３の下ハーフ側の左右両側の後部には、位置決め用の凹部６が半長円状にそれぞれ凹設されている。カートリッジケース３の上面には、ディスクドライブに対する適正な装填方向を示す装填表示７が印刷してある。シャッター５はカートリッジケース３の上下面に浅く凹み形成したスライド凹部８の範囲内を開閉スライドできる。
【００１４】
図２において収納ケースは、ケース本体１０と蓋体１１とで収納室を区画した薄形角箱状のケースからなり、ケース前面にＭＤ１を出し入れするための第１開口１２が設けてある。収納室の内部には、ＭＤ１と共にインデックスカードを収容できる。
【００１５】
ケース本体１０は、底壁１４と、左右一対の側壁１５・１５と、底壁１４の後縁に立設した後壁１６とを一体に形成した、上面および前面が開口するプラスチック成形品からなり、ケース前面の開口を先の第１開口１２とし、ケース上面の開口を第２開口１７とする。蓋体１１は、第２開口１７の全体を上面側から閉止する主面壁１８と、主面壁１８の左右両側の下面側に側壁１５と平行に突設した左右一対の蓋側壁１９と、主面壁１８の後縁の左右両端から下方に突設した蓋後壁２０とを一体に形成したプラスチック成形品からなり、透明ないし半透明のプラスチック材で形成する。両蓋側壁１９の対向間隔は、ＭＤ１の左右幅寸法より僅かに大きい。
【００１６】
ケース本体１０と蓋体１１とはスライド機構を介して連結することにより、先の第２開口１７を蓋体１１でスライド開閉できる。図２において、蓋体１１の左右蓋側壁１９の中途部の下端外面には、軸２１をそれぞれ外向きに突設する。ケース本体１０の左右側壁１５の後端下部にはガイド溝２２を設け、このガイド溝２２で軸２１を受け入れ支持してスライド機構を構成する。ガイド溝２２は、側壁１５の内面に突設したリブ２３で区画するが、図１に示すように、その深さ寸法Ｄを、リブ２３の側壁１５の内面からの突出寸法Ｅより大きく設定し、軸２１との係合寸法Ｒをより大きく設定する。ガイド溝２２の長さは、後述するロック体３０の装着位置との関係で規定しており、蓋体１１を後述する第１開放位置までスライド開放したとき、ロック体３０がケース後方へ十分に突出できる長さに設定されている。
【００１７】
蓋体１１は、主面壁１８がケース本体１０の左右側壁１５間に面一状に嵌まり込んで、第２開口１７を完全に閉止する図６（ａ）の閉じ位置と、図６（ｂ）に示すように全体がガイド溝２２に沿って第１開口１２から遠ざかる後ろ向きにスライド移動した第１開放位置と、図６（ｂ）の想像線で示すように全体が軸２１を中心にして上開き揺動し、第２開口１７の全体を開放する第２開放位置とに変位できる。蓋体１１の後方スライドを許すために、図２に示すごとくケース本体１０の後壁１６の左右両端には、それぞれ開口２５を設けてある。更に蓋体１１が揺動開閉するとき、蓋側壁１９がケース本体１０の底壁１４と接当干渉するのを防ぐために、蓋側壁１９の軸２１より後ろ側の壁面に逆Ｖ字形の切欠２６を設けてある（図６（ｂ）参照）。
【００１８】
閉じ位置において、蓋体１１が不用意にケース後方へスライド移動するのを規制するために、蓋側壁１９とケース本体１０の左右側壁１５との対向面間にそれぞれスライドロックを設ける。図４においてスライドロックは、蓋側壁１９の外側面の前端上部に突設した側面から見てＬ字状の係合片２７と、係合片２７に対応して両側壁１５の内側面の前端上部寄りに突設した平面視が台形状のロック壁２８とからなる。閉じ位置において、係合片２７の垂直壁部がロック壁２８の前方の係合案内面と接当係合して、蓋体１１が後方へスライドするのを接当規制している。更に、係合片２７の水平壁部はロック壁２８の下面側に位置して、蓋体１１が第２開口１７から浮き上がる向きに動こうとするのを阻止する。
【００１９】
収納ケースの取り扱い時にＭＤ１が滑落するのを防ぐために、蓋体１１の左右の蓋側壁１９にそれぞれロック体３０を設ける。図５においてロック体３０は、前後一対の係合爪３１を有するコ字枠状の基部３２と、基部３２の下部に連続する部分円弧状の弾性腕３３とを一体に形成したプラスチック成形品からなり、係合爪３１を蓋側壁１９に設けた装着穴３４に圧嵌係合して装着する。この装着状態において、弾性腕３３は蓋側壁１９に設けた切欠３５を介してケース内方に突出するので、図５に示すようにＭＤ１を収納ケースに装填した状態では、弾性腕３３が凹部６に外側方から落ち込み係合して、ＭＤ１の抜け出しを防ぐ。
【００２０】
蓋体１１のケース本体１０への組み付けを容易に行うために、図１に示すように軸２１の突端下面に斜めのガイド面３７を形成し、更にリブ２３の直線壁の突端上面の１個所（図２参照）に、先のガイド面３７より僅かに広幅のガイド面３８を形成する。両ガイド面３７・３８は側壁１５に近い側を傾斜上端とする傾斜面で形成する。
【００２１】
軸２１側のガイド面３７をリブ２３側のガイド面３８に当てがった後、蓋体１１の全体を押し下げ操作すると、軸２１がガイド溝２２に対してパチンと嵌まり込む。このとき、両ガイド面３７・３８は蓋体１１の押し込み方向に対して傾斜しているので、それぞれの接当面に横向きの分力が生じる。横向きの分力を受けた蓋側壁１９と側壁１５とは、それぞれが逆向きに弾性変形し、とくに蓋側壁１９は大きく変形して軸２１がリブ２３の突端を乗り越えるのを容易化する。軸２１とリブ２３の双方にガイド面３７・３８を設けてあると、軸２１がリブ２３を乗り越えるときの乗り越え距離が減少する。従って、軸２１とガイド溝２２の係合寸法Ｒが、リブ２３の突出寸法Ｅと同じかこれより大きく設定してあるような場合であっても、蓋体１１のケース本体１０に対する組み付けが容易になる。
【００２２】
ＭＤ１を収納ケースに収納した状態では、ケース本体１０の前部中央が底壁１４および主面壁１８の前端に切り欠き形成した台形状の切欠部３９から露出する。通常は先の露出部をつまんで、ＭＤ１を収納ケースから抜き出すが、ＭＤ１の取り出し操作は片手のみでも行えるように、図３に示すごとく切欠部３９に隣接する主面壁１８の上面に、三角形の指掛部４０が凹み形成してある。指掛部４０は、切欠部３９から遠い位置にある頂部の側（後方）が深く、切欠部３９に隣接する辺部に近付くほど凹み深さが小さくなるように形成してある。このように指掛部４０を設けた収納ケースは、図７に示すように親指と他の四指とで収納ケースの上下面を挟持し、親指で指掛部４０を押えて蓋体１１をケース後方へ押し出し、ロック体３０をケース本体１０後方外面へ突出させ、この状態で収納ケースの全体を傾けると、ＭＤ１を第１開口１２から滑り出させて取り出すことができる。
【００２３】
蓋体１１を閉じ操作した状態では、ケース本体１０の後壁１６と、左右の蓋後壁２０・２０とが協同してケース後面を塞いでいる。しかし、蓋体１１をスライド開閉する必要上、両後壁１６・２０の間や、後壁１６と主面壁１８の内面後部との間、あるいは蓋後壁２０と側壁１５の後端面との間に僅かな隙間を生じやすく、これら隙間から塵埃がケース内に入り込む余地がある。上記の各隙間が形成される後部開口縁からの塵埃の侵入を防ぐために、図８および図９に示すごとく蓋体１１とケース本体１０の隣接面に閉止面４１・４２を形成する。閉止面４１・４２はそれぞれ各壁面の厚み方向に対して傾く傾斜面からなり、両閉止面４１・４２が内外に接近して重合するように形成する。
【００２４】
上記のように閉止面４１・４２を設けると、蓋体１１を閉じた状態において、閉止面４１・４２を確実に接合し、更に塵埃の侵入経路長を大きくして、塵埃の侵入をよく防止できる。両閉止壁４１・４２は、図１０に示すように階段状の断面形に形成してもよい。
【００２５】
上記の実施例では、軸２１とリブ２３の双方に係合案内用のガイド面３７・３８を設けたが、少なくともいずれか一方にのみガイド面を設けてもよい。指掛部４０は主面壁１８の上面の複数個所に設けることができ、例えば主面壁１８の前部の左右両側に分散して形成できる。指掛部４０の形状も、四角形や円形など自由に変更できる。蓋体１１は閉じ位置から９０度起立した位置まで開放できるに越したことはないが、第２開放位置において主面壁１８が傾斜する状態であってもよく、単に閉じ位置と第１開放位置との間でスライド開閉できるものでもよい。
【００２６】
【発明の効果】
本発明では、蓋体１１のスライド機構を構成する軸２１と、ガイド溝２２を区画するリブ２３との少なくともいずれか一方にガイド面３７・３８を設けて、ケース本体１０に対して位置決めした蓋体１１を単に押し下げ操作するだけで、軸２１をガイド溝２２内に係合できるようにしたので、蓋体１１のケース本体１０に対する組み付けが容易に行えて、収納ケースの組み立てに要する手間とコストを減少できる。ガイド溝２２と軸２１との係合寸法Ｒが十分に大きく設定してある場合にも、蓋体１１の組み立てを支障なく容易に行えるので、落下衝撃や他物との衝突等によって大きな外力を受けても、蓋体１１がケース本体１０から分離するのを確実に防止でき、この点でも収納ケースの信頼性を向上できる。
【図面の簡単な説明】
【図１】蓋体とケース本体の連結構造を示す要部の縦断正面図である。
【図２】蓋体とケース本体とを分離した状態での斜視図である。
【図３】収納ケースの内部構造を示す一部破断平面図である。
【図４】図３におけるＡ−Ａ線断面図である。
【図５】図３におけるＢ−Ｂ線断面図である。
【図６】蓋体の動作を説明する縦断側面図である。
【図７】収納ケースの使用状態を示す斜視図である。
【図８】収納ケースの後面形態を示す背面図である。
【図９】図８におけるＣ−Ｃ線断面図である。
【図１０】本発明の別実施例を示す図９と同等位置での横断平面図である。
【符号の説明】
１  ディスクカートリッジ（ＭＤ）
１０  ケース本体
１１  蓋体
１２  第１開口
１５  側壁
１７  第２開口
１９  蓋側壁
２１  軸
２２  ガイド溝
２３  リブ
３７・３８  ガイド面
Ｄ  ガイド溝の深さ寸法
Ｅ  リブの突出寸法
Ｒ  軸とリブとの係合寸法
【図１】
0003716331.tif 000002
【図２】
0003716331.tif 000003
【図３】
0003716331.tif 000004
【図４】
0003716331.tif 000005
【図５】
0003716331.tif 000006
【図６】
0003716331.tif 000007
【図７】
0003716331.tif 000008
【図８】
0003716331.tif 000009
【図９】
0003716331.tif 000010
【図１０】
0003716331.tif 000011